(57)【要約】【課題】簡易構造でありながらディスクの反りなどに起因する面振れ回転を好適に抑制することのできるディスククランプ装置を提供する。【解決手段】ディスクＤを回転させるターンテーブル１と協同してディスクＤを挟み込む回転自在なクランプ盤４を有する。クランプ盤４は、ターンテーブル１と対向する側の第１の面に、ディスクＤの外周縁を当接させるための環状凸部４２と該環状凸部で囲まれる凹部４３とを備える。又、クランプ盤４は、該クランプ盤４の軸線を中心とする円周上の位置で、前記第１の面とは反対の第２の面側に突出する所定の断面形状を有した隆起部４４を備える。隆起部４４は、クランプ盤４がディスクＤを介してターンテーブル１で回転されるとき凹部４３内の空気が前記第２の面側に流出するよう穿設された吸気孔４５を有する。【選択図】図１
2008282480.tif 000002
【特許請求の範囲】
【請求項１】
ディスクを回転させるターンテーブルと協同して前記ディスクを挟み込む回転自在なクランプ盤を有し、
前記クランプ盤は、
前記ターンテーブルと対向する側の第１の面に、前記ディスクの外周縁を当接させるための環状凸部と該環状凸部で囲まれる凹部とを備えると共に、
該クランプ盤の軸線を中心とする円周上の位置で、前記第１の面とは反対の第２の面側に突出する所定の断面形状を有した隆起部を備え、
前記隆起部は、前記クランプ盤が前記ディスクを介して前記ターンテーブルで回転されるとき前記凹部内の空気が前記第２の面側に流出するよう穿設された吸気孔を有していることを特徴とするディスククランプ装置。
【発明の詳細な説明】
【技術分野】
【０００１】
本発明は、ディスク駆動装置に用いられるディスククランプ装置に係わり、特に回転すべきディスクの反りを矯正し、その回転時の面振れを抑制できるようにしたディスククランプ装置に関する。
【背景技術】
【０００２】
一般に、オーディオ情報やビジュアル情報の記録／再生に用いられるディスク駆動装置は、情報記録媒体としてのディスクをターンテーブルに載せて回転させながら、その半径方向にピックアップを移動させて情報の読み出しや書き込みを行う構成とされている。
【０００３】
ここに、ディスクをターンテーブルに固定する方法として、ターンテーブルにディスクの中心孔の周縁を押え込むチャック爪を設けたもの、あるいはターンテーブルに対向して配置されるクランプ盤によりディスクの中心部をターンテーブルに押し付けるようにしたものが知られる。
【０００４】
しかし、その何れもディスクの中心部分を保持するだけなので、ディスクの回転時に外部からの伝搬振動を受けてディスクの外周側が大きく振動してしまったり、ディスクの反りにより面振れを起こしてしまったりすることがあり、このためトラッキングサーボやフォーカスサーボといった制御系が激しく変動し、再生音にノイズを生ずるなど情報の記録／再生に支障を来たすことがあった。
【０００５】
そこで、クランプ盤（クランパ）にディスクを上面から覆う大きさのクランパテーブルを設ける一方、ターンテーブルの回転軸（スピンドルモータの回転軸）にファンを固定するか、又はクランプ盤にファンモータを内蔵し、そのファンの回転によりクランプ盤とディスクとの間の空気がディスクの中心側を通じて外部に流出するようにしたディスククランプ装置が発案されている（例えば、特許文献１）。
【０００６】
そして、特許文献１によれば、クランプ盤とディスクとの間の空気が流出されることにより、ディスクが全面的にクランプ盤に吸着して平面状となるために、その面振れ等が抑制されるとしている。
【０００７】
又、ターンテーブルをその外周にリング状リブを有した皿状回転盤とし、その外周面あるいは底面に排気通路を設け、皿状回転盤の回転による遠心力によりその内部空気が排気通路を通じて外部に排出されることで皿状回転盤上に載置されたディスクが皿状回転盤に吸着するようにした装置が発案されている（例えば、特許文献２）。
【０００８】
【特許文献１】特開平９−６３１６７号公報
【０００９】
【特許文献２】特開昭５７−１５０１０４号公報
【発明の開示】
【発明が解決しようとする課題】
【００１０】
しかしながら、特許文献１のように、ターンテーブルの回転軸にファンを取り付けたりクランプ盤にファンモータを内蔵したりする構成では、ターンテーブルやクランプ盤の構造が複雑となり、装置コストが高くなるという欠点がある。
【００１１】
特に、クランプ盤にファンモータを内蔵する構成では、ファンモータを組み付けるために作業工数が増え、生産性の悪化を招く上、ファンモータをターンテーブルに同期して回転させるための制御回路を構築しなければならない。
【００１２】
一方、特許文献２は、ディスクと皿状回転盤とで囲まれた空間内の空気が遠心力の作用で外部に排出されるようにしたものであるから、皿状回転盤の内側にディスクの反りを矯正するような大きな負圧を発生させることは難しく、しかもターンテーブルでディスクの片面側を覆うような構成では、情報の読み書きに用いられるピックアップの配置に工夫を凝らさなければならない。
【００１３】
本発明は以上のような事情に鑑みて成されたものであり、その目的は簡易構造でありながらディスクの反りなどに起因する面振れ回転を好適に抑制することのできるディスククランプ装置を提供することにある。
【課題を解決するための手段】
【００１４】
上記目的を達成するため、本発明に係るディスククランプ装置は、
ディスクＤを回転させるターンテーブル１と協同してディスクＤを挟み込む回転自在なクランプ盤４を有し、
クランプ盤４は、
ターンテーブル１と対向する側の第１の面に、ディスクＤの外周縁を当接させるための環状凸部４２と該環状凸部で囲まれる凹部４３とを備えると共に、
該クランプ盤４の軸線を中心とする円周上の位置で、前記第１の面とは反対の第２の面側に突出する所定の断面形状を有した隆起部４４を備え、
隆起部４４は、クランプ盤４がディスクＤを介してターンテーブル１で回転されるとき凹部４３内の空気が前記第２の面側に流出するよう穿設された吸気孔４５を有していることを特徴とする。
【発明の効果】
【００１５】
本発明に係るディスククランプ装置によれば、クランプ盤の片面（第１の面）にディスクの外周縁を当接させるための環状凸部と該環状凸部で囲まれる凹部とを設け、そのクランプ盤がディスクを介してターンテーブルで回転されるとき凹部内の空気がターンテーブルとは反対の面（第２の面）側に流出する構成としたことから、反りを生じているディスクでも、これを平面状に矯正して面振れなく安定回転させることができる。
【００１６】
特に、本発明ではクランプ盤にディスクを吸着せしめる吸気力を発生させるために、クランプ盤における第２の面に所定の断面形状を有する隆起部を設け、その隆起部の部位に凹部内の空気を流出させる吸気孔を穿設しただけなので、簡易構造にして装置コストを抑制することができる。
【発明を実施するための最良の形態】
【００１７】
以下、本発明に係るディスククランプ装置の具体的な構成例を図面に基づいて詳しく説明する。図１、図２は係るディスククランプ装置の使用態様を示した部分断面図であり、図１はディスクがクランプされていない状態、図２はディスクがクランプされた状態を示している。
【００１８】
図１、図２において、１はディスクＤを回転させるためのターンテーブル、２はターンテーブル１により回転されるディスクＤの盤面に沿ってその半径方向に移動しながらディスクＤに情報を記録したりその記録情報を読み出したりするピックアップであり、そのターンテーブル１やピックアップ２はトラバースメカと呼ばれる一体構造のユニット（ドライブユニット）を構成し、そのユニット全体がターンテーブル１の軸方向に移動可能とされる。
【００１９】
ここに、ターンテーブル１は、モータ３のロータ軸に固着されて一方向に回転駆動するものであり、その中心部にはディスクＤの中心孔に嵌合する円錐台状のボス部１ａが設けられ、そのボス部１ａの外周には鍔部１ｂが設けられる。そして、その鍔部１ｂによりディスクＤが中心孔の周囲を支持されるようになっている。尚、本例においてターンテーブル１は強磁性体から形成され、ディスクＤをクランプするときには磁力作用により後述するクランプ盤と吸着する。
【００２０】
４はディスク回転時にターンテーブル１と協同してディスクＤを挟み込む（クランプする）上記のクランプ盤であり、このクランプ盤４はターンテーブル１に対向する位置で装置フレーム５に回転自在に取り付けられる。尚、クランプ盤４の回転軸４ａの一端外周部には、ターンテーブル１側への移動を規制する抜止め用の鍔部６が設けられる。
【００２１】
又、クランプ盤４はディスクＤより少し大きい直径を有する円盤状で、ターンテーブル１と対向する側の面（第１の面）には、図２のようにディスクＤの片面を支持する２つの環状凸部４１，４２が同心円状に形成され、その両者４１，４２間が外周側の環状凸部４２により囲まれる環状の凹部４３とされている。そして、ディスクＤのクランプ時において、内周側の環状凸部４１の内側にターンテーブル１のボス部１ａが入り込み、外周側の環状凸部４２に対してディスクＤの外周縁が当接するようになっている。
【００２２】
尚、クランプ盤４には、回転軸４ａの外周部においてマグネット７が取り付けられており、その磁力によりターンテーブル１とクランプ盤４とが互いに吸引し合い、その吸引力にてディスクＤのクランプが行われるようになっている。又、クランプ盤４とターンテーブル１とのラジアル方向の位置決めは、図３のように回転軸４ａとボス部１ａの中心に形成した窪１ａ´との嵌合で行われる。
【００２３】
一方、クランプ盤４の表面（環状凸部４１，４２や凹部４３などが形成される面とは反対の第２の面）には、凹部４３の位置に対応して所定の断面形状を有する隆起部４４が突設される。
【００２４】
図４は係るクランプ盤４を表面側からみた平面図であり、図５にはその一部を拡大した断面を示している。図４から明らかなように、上記隆起部４４はクランプ盤４の軸線（回転軸４ａ）を中心とする円周上に複数が等間隔に設けられる。本例において、係る隆起部４４は、４つが９０度間隔に設けられており、その各々は曲面状の凸面４４ａを有してクランプ盤４の回転方向に沿う縦断面が翼形とされている。
【００２５】
そして、クランプ盤４には、その回転時において凹部４３内の空気がターンテーブル１とは反対の面（上記第２の面）側に流出するよう、凹部４３から各隆起部４４の部位に開通する吸気孔４５が穿設される。特に、各隆起部４４には、ターンテーブル１によるクランプ盤４の回転方向（図４の時計回り）に対して後方となる位置で吸気孔４５が穿設されている。これによれば、クランプ盤４の回転時に各隆起部４４の凸面４４ａに沿って流れる空気の流速が上がり、その周囲の気圧が凹部４３内よりも低下するために、凹部４３内の空気が吸気孔４５を通じてクランプ盤４の表面側に流出し、その吸気力により凹部４３に対向するディスクをクランプ盤４に吸着せしめることができる。
【００２６】
図６は、クランプ盤４の回転によりディスクＤがクランプ盤４に吸着されている状態を示す。尚、図６において、クランプ盤４は図４のＸ−Ｘ断面として示される。ここに、ディスクＤがターンテーブル１側に反っている場合、ターンテーブル１で支持されないディスクＤの外周縁は環状凸部４２に当接せずしてその両者間に隙間を生ずるが、本発明ではクランプ盤４の回転に起因して凹部４３内の空気がクランプ盤４の表面側に流出されることにより、ディスクＤの外周側が凹部４３側に引き寄せられ、その外周縁が環状凸部４２に当接される。このため、反りを生じているディスクＤでも、これを平面状に矯正して面触れのない安定した状態で回転させることができる。
【００２７】
ここで、以上のように構成されるディスククランプ装置の作用を説明すれば、図１のように、ディスクＤがクランプされていない状態において、ディスクＤを載せたターンテーブル１がクランプ盤４側に移動されると、環状凸部４１の内側にターンテーブルのボス部１ａが入り込み、そのボス部１ａに対して作用するマグネット７の磁力によりターンテーブル１とクランプ盤４が吸引し合い、これによってターンテーブル１の鍔部１ｂとクランプ盤４の環状凸部４１でディスクＤの中心部分がクランプされる。
【００２８】
そして、この状態でターンテーブル１を一方向に回転駆動すると、そのターンテーブル１に対してマグネット７の磁力作用で吸着されているクランプ盤４もディスクＤと共にターンテーブル１と同方向に回転される。
【００２９】
クランプ盤４が回転されると、当該クランプ盤４に対してその回転方向と逆向きの空気流が発生するが、隆起部４４の凸面４４ａ上では空気流の速度が上がり、その周囲の気圧が凹部４３内よりも低下するために、凹部４３内の空気が吸気孔４５を通じてクランプ盤４の表面（上記第２の面）側に流出され、その吸気作用によりディスクＤが凹部４３側に引き寄せされ、その外周縁が環状凸部４２に吸着されるようになる。よって、反りを生じているディスクでも平面状に矯正されて面振れなく安定状態で回転される。
【００３０】
一方、ターンテーブル１を停止すれば、クランプ盤４も停止して凹部４３内に吸気力が作用しなくなるので、その状態でターンテーブル１をクランプ盤４から離間する方向に移動させれば、ディスクＤをターンテーブル１で支持したままクランプ盤４から離間させることができる。
【００３１】
以上、本発明について説明したが、係るディスククランプ装置は上記例に限定されず、ディスクＤのクランプ及びその解除に際し、ターンテーブル１に対してクランプ盤４が接近方向と離間方向に移動するようにしてもよいし、ターンテーブル１とクランプ盤４の双方がそれぞれ移動するようにしてもよい。
【００３２】
又、上記例ではクランプ盤４にマグネット７を設けたが、そのマグネット７に代えて板バネなどの弾性部材を用い、これによりクランプ盤４をターンテーブル１側に付勢するようにしてもよい。
【００３３】
又、クランプ盤４は回転軸４ａと一体に形成することができ、マグネット７の保持方法も上記例にとらわれず、例えばクランプ盤４内に埋設するようにしてもよい。更に、クランプ盤４の保持方法も上記例にとらわれず、クランプ盤４は装置フレーム４に対して回転自在に支持されていればよい。
【００３４】
特に、上記例では凹部４３から隆起部４４に開通する吸気孔４５をクランプ盤４の回転方向に対して後方となる位置に穿設したが、これを隆起部４４の頂部やその近傍に穿設するようにしてもよい。尚、隆起部４４は翼形に限らず、クランプ盤４の回転により当該隆起部４４に沿って流れる空気の流速が上がってその周囲の気圧が低下するような形態であればよい。
【図面の簡単な説明】
【００３５】
【図１】本発明に係るディスククランプ装置を示す説明図（ディスクの非クランプ時）
【図２】本発明に係るディスククランプ装置を示す説明図（ディスクのクランプ時）
【図３】図２の部分拡大図
【図４】クランプ盤の平面図
【図５】隆起部の拡大断面図
【図６】ディスクがクランプ盤に吸着した状態を示す説明図
【符号の説明】
【００３６】
１  ターンテーブル
１ａ  ボス部
１ｂ  鍔部
２  ピックアップ
３  モータ
４  クランプ盤
４２  環状凸部
４３  凹部
４４  隆起部
４４ａ  凸面
４５  吸気孔
７  マグネット
【図１】
2008282480.tif 000003
【図２】
2008282480.tif 000004
【図３】
2008282480.tif 000005
【図４】
2008282480.tif 000006
【図５】
2008282480.tif 000007
【図６】
2008282480.tif 000008